(57)【要約】【課題】  支台歯形成によって設けられたメタルコアを、歯根のトリートメントの必要などに応じて歯根から抜き取る治療にあっては、肝心の歯にも鉗子やプライヤーの強い力が掛かってしまうことがあり、歯を損傷する恐れがあった。【解決手段】  ステンレス製の平たい除去用具１は、長円形のハンドル部１０の外周縁の一部に、長方形のアンカー部１１を設けたものである。このアンカー部１１の先端部分にはやすり掛けのような擦り部１２が形成されている。歯３とメタルコア２との境に切削部（隙間）３０を設け、ここにアンカー部１１を挿入し、ハンドル部１０を指先で摘んで前後に捩るように操作して、メタルコア２に力を加えながら歯３から浮かせて除去する。【選択図】図１
2019042456.tif 000002
【特許請求の範囲】
【請求項１】
歯とメタルコアとの隙間に挿入するためのアンカー部と、このアンカー部よりも大きくて平らなこのアンカー部を歯から浮かせるべく引くためのハンドル部と、から成るメタルコアの除去用具。
【請求項２】
このメタルコアの除去用具の２個が１セットである、請求項１に記載のメタルコアの除去用具。
【請求項３】
２個で１セットのメタルコアの除去用具が互いに接続紐で繋げられている、請求項２に記載のメタルコアの除去用具。
【請求項４】
平らな前記ハンドル部に滑り止め部を有する、請求項１または請求項２または請求項３に記載のメタルコアの除去用具。
【請求項５】
前記ハンドル部の表面が鏡面である、請求項１または請求項２または請求項３に記載のメタルコアの除去用具。
【請求項６】
被せ物を外してメタルコアを露出させ、歯とメタルコアとの間を両側から切削するなどして隙間を作り、この左右の隙間に２個１対のメタルコア外し用具の、各々のアンカー部を挿入し、このアンカー部よりも大きくて平らなハンドル部を握って、ハンドル部を前後に捩るまたは上方に抉るように操作して、歯からメタルコアを浮かせるようにする、歯科医によるメタルコアの除去方法。
【発明の詳細な説明】
【技術分野】
【０００１】  本発明は、支台歯形成によって設けられたメタルコアを、歯根のトリートメントの必要などに応じて歯根から抜き取る治療に係り、これを容易に行うことが出来て患者の負担が軽くなるようなメタルコアの除去用具および除去方法に関する。
【背景技術】
【０００２】  従来の歯科治療に於いてメタルコアを除去するには、タービンエンジンなどを用いて、メタルコアを全て削り取ったり、歯とメタルコアとの境の回りに隙間を形成して、メタルコアを鉗子やプライヤーで挟んで引き上げるようにしていた。【０００３】  この鉗子の一例は、特開平１０−２９５７０５号の歯科用挟持器具に詳述されている。このものは一対の把持部と一対の挟持部とを有し、両把持部の間に開度調整手段が設けられており、挟持部の開口角度を開閉両方向に関して所定の大きさに固定できるように構成したことを特徴としている。
【先行技術文献】
【特許文献】
【０００４】
【特許文献１】特開平１０−２９５７０５号
【発明の概要】
【発明が解決しようとする課題】
【０００５】  しかしながら鉗子やプライヤーでメタルコアを挟んで引き上げる際に、肝心な歯にも鉗子やプライヤーの強い力が掛かってしまうことがある。そうなるとメタルコアが入って壁が薄くなっている歯そのものが割れてしまうことがあった。また確かに特開平１０−２９５７０５号には開度調整手段はあるものの、構造が複雑化して大型になり、これを患者の口元近くで扱うには、患者に与える悪印象や取り回し難いなどの問題があった。
【課題を解決するための手段】
【０００６】  上述のような問題点に鑑み当発明者は、マイナスドライバーのような先が平らで持ち手があるような器具を用意しておき、歯とメタルコアとの境の少なくとも向かい合う２か所に隙間を形成して、ここに両側から先の平らな部位を差し込んで、ハンドルを上手く操ってメタルコアを歯から外すようにすれば良いと思考した。【０００７】  これはこれでメタルコアを挟み付けることがないため、歯を挟み付けるような力が掛からなくて良いわけである。しかしながらマイナスドライバーのような器具であると、上述した特開平１０−２９５７０５号の歯科用挟持器具と同様の問題、すなわち患者の口の外である所の口元近くで取り扱わなくてはならないと言う問題が残っている。【０００８】  メタルコアや歯を挟み付けるような力を掛けることなく、患者の口の中で指先の小さな手業だけでメタルコアを外すことは出来ないだろうか。そこで本発明では、被せ物を外してメタルコアを露出させたら、歯とメタルコアとの間を切削するなどして隙間を作り、この隙間に、患者の口の中に納まる大きさのメタルコアの除去用具のアンカー部を挿入し、このアンカー部よりも大きくて平らなハンドル部を握って、ハンドル部を前後に捩るまたは上方に抉るように操作して、歯からメタルコアを浮かせると言う、歯科医によるメタルコアの除去方法を提供する。また患者の口腔に納まる大きさであり、歯とメタルコアとの隙間に挿入するためのアンカー部と、このアンカー部よりも大きくて平らなこのアンカー部を歯から浮かせるべく引くためのハンドル部と、から成るメタルコアの除去用具を提供する。すなわち本発明のメタルコア除去用具は、患者の口中で取り扱えるほど小さくて、極めて実用的な道具であると言うことが出来る。【０００９】  なおこのメタルコアの除去用具は２個が１セットであるとより好ましいので、以下では２個１セットのものについて説明する。すなわち歯とメタルコアとの間を両側から切削するなどして隙間を作り、ここに両側からメタルコアの除去用具のアンカー部を挿入する。患者の口の中では、ターゲットの歯の両側に平たいハンドル部が位置するので、この各々のハンドル部を左右の手の指先で摘まんで、ハンドル部を前後に捩るまたは上方に抉るように操作する。これによりターゲットのメタルコアを、片持ちのようになることなく左右均等に力を入れて歯から浮かせることが可能である。【００１０】  次に２個で１セットのメタルコアの除去用具に関して、互いに接続紐で繋げられているメタルコアの除去用具とすることが出来る。接続紐で繋げられているので、何方か一方を見失って治療に支障を来すと言うようなことが少なくなる。或いは接続紐で繋ぐ代わりとして、２個で１セットのメタルコアの除去用具が接着するように磁石を取り付けたものとすることが出来る。【００１１】  なお接続紐で繋げられていると、指先が滑るなどして一方を取り落とすようなことがあったとしても、接続紐を引けば回収できるので便利である。この意味では２個で１セットのメタルコアの除去用具を接続紐で繋ぐのではなく、各々に取り落とし防止用の紐やストラップなどを取り付けるようにしても良い。【００１２】  次に請求項１または請求項２または請求項３に記載のメタルコア���除去用具に関して、平らなハンドル部に滑り止め部を有するものとすることが出来る。本発明のメタルコアの除去用具の特長は、患者の口の中で指先の小さな手業だけで治療を行い得るほどに小さくて実用的である点に存する。この際に唾液等でハンドル部が滑りやすくなることもある。それを嫌うのであればハンドル部に滑り止め部を設けるとなお良い。【００１３】  次に請求項１または請求項２または請求項３に記載のメタルコアの除去用具に関して、前記ハンドル部の表面が鏡面であるものとすることが出来る。これによれば目の行き届きにくい歯の裏側も、ハンドル部の表面の鏡面に映して見ることが出来て便利である。
【発明の効果】
【００１４】  本発明の除去用具によれば、被せ物を外してメタルコアを露出させたら、メタルコアと歯の間に隙間を作りそこに除去用具のアンカー部を挿入するようにする。これにより除去用具のハンドル部を患者の口の中で、指先の小さな手業だけで操作して治療を行うことが出来る、と言う効果を奏する。
【図面の簡単な説明】
【００１５】
【図１】実施例１の説明図である。
【図２】実施例２の説明図である。
【図３】実施例２の使用状態の説明図である。
【図４】実施例３の説明図である。
【図５】実施例４の説明図である。
【図６】実施例５の説明図である。
【図７】実施例６の説明図である。
【図８】実施例７の説明図である。
【発明を実施するための形態】
【００１６】  以下本発明の７種類の実施例を図１〜図８を参照しつつ説明するが、本発明はこれ等の実施例に限定されるものではない。
【実施例１】
【００１７】  図１で表したこの実施例のステンレス製の除去用具１は、長円形のハンドル部１０の外周縁の一部に、長方形のアンカー部１１を設けたものである。このアンカー部１１はハンドル部１０と共に平らであり、アンカー部１１は歯３とメタルコア２との間に作った切削部（隙間）３０に挿入することが出来るような薄さのものである。【００１８】  またアンカー部１１の先端部分にはやすり掛けのような擦り部１２が形成されており、この部位を歯３とメタルコア２との間に作った切削部３０に挿入して所要の操作によってハンドル部１０を取り扱った際に、アンカー部１１が切削部３０から抜け出にくいものとなっている。この実施例ではアンカー部１１のハンドル部１０からの突出長を５ｍｍとして、切削部３０を先端部の２ｍｍとしている。なおハンドル部の短径は２０ｍｍである。図中符号３１は歯茎を指す。なおこの除去用具１の使用法は次の実施例２の除去用具１３のところで説明する。
【実施例２】
【００１９】  図２及び図３を用いてこの実施例のステンレス製の除去用具１３とその使用法とを説明する。除去用具１３は上述した実施例１の除去用具１の構成に倣うものであるが、除去用具１３は２個１対で用いられるものであり、各々紐通し孔１４を備えており、通し孔１４の間を接続紐４で繋げている点に特徴を有する。この接続紐４は２個１対の除去用具１３の何方か一方を見失って治療に支障を来すことを防止してくれる。【００２０】  図２（Ａ）は虫歯を治療した後の歯３にメタルコア２が形成されている状態を表したものである。図示しない被せ物が取り外されているため、メタルコア２が剥き出しになっている状態である。歯根のトリートメントの必要などに応じて歯３からメタルコア２を抜き取ろうと言うのである。【００２１】  そこで図２（Ｂ）及び図３で表すように歯３とメタルコア２との境を両側からタービンエンジンを用いて切削するなどして隙間すなわち切削部３０を形成する。この切削部３０はメタルコア２の両側にあるから、２個の除去用具１３を用いて、そのアンカー部１１を切削部３０に挿入すると、メタルコア２は両側からアンカー部１１によって抱き抱えられた状態となる。そして両手の指で左右のハンドル部１０を摘んで前後に捩るように操作して、メタルコア２に左右均等に力を加えながら歯３から浮かせるのである。図３で表した矢線は一方向のみであるが、次にはこれとは逆の方向に捩られる。なおこの操作の際に、アンカー部１１には擦り部１２が形成されているため、アンカー部１１は切削部３０から滑りにくくなっている。またハンドル部１０は口の中に納まるサイズであるため、被せ物を付けたり外したりするのと同じような手業としての施術を可能としている点は、特筆すべきことである。【００２２】  なおアンカー部１１の切削部３０に付いて同様の機能は合成ゴム挽きなどとしても実施し得る。またこのような機能は必須と言うものではない。以下の実施例に於いても同様である。
【実施例３】
【００２３】  図４で表したこの実施例のステンレス製の除去用具１５は、その殆どの構成を上述した実施例１の除去用具１に倣うものであるが、ハンドル部１０の片面側に、たくさんの滑り止め突起１７を有する滑り止め部１６が設けられている点で異なる。【００２４】  シート状の滑り止め部１６は、滑り止め突起１７と共に合成ゴム製に成るものであり、ハンドル部１０に接着されている。歯科医師は手袋を着用してはいるが、ハンドル部１０をさらに滑りにくいものとするためには有効な構成である。またハンドル部１０の両面に設けるようにしても良い。或いは滑り止め部１６をハンドル部１０に接着する以外の構成もあり得る。例えば薄いステンレス製のハンドル部１０にたくさんの突起を打ち出したものとするなどである。
【実施例４】
【００２５】  図５のステンレス製の除去用具１８は、その殆どの構成を上述した実施例１の除去用具１に倣うものであるが、ハンドル部１９の片面側を磨いて鏡面１００を形成して成るものである。これによれば見えにくい歯の裏側の様子をハンドル部１９の鏡面１００に映して見ることが出来て便利である。【００２６】  ハンドル部１９を磨くことで鏡面１００としているが、鏡を別途用意してハンドル部に取り付けるようにしても良い。さらに鏡を曇りにくいものにするなどの工夫をすることは好ましい。なおハンドル部１９の周縁部のみやすり掛けをするなどして、擦り部すなわち滑り止め部を設けるのも良い。
【実施例５】
【００２７】  図６を用いてこの実施例のステンレス製の除去用具１０１とその使用法とを説明する。このものは実施例１のハンドル部１０に成る除去用具と、新たな帯磁ハンドル部１０２に成る除去用具との、２個１対で用いられる除去用具１０１である。【００２８】  この内新たな帯磁ハンドル部１０２に成る除去用具は、ここが磁石となっており、相対するハンドル部１０を磁着することが出来る。従って何時でも両者を着けておくようにすれば、何方か一方を見失って治療に支障を来すと言うようなことが少なくなる。またこの磁着能力はステンレス製のトレイなどにも対しても作用させることが出来る。
【実施例６】
【００２９】  図７のステンレス製の除去用具１０３は、ハンドル部１０４が２つのアンカー部１０５およびアンカー部１０７を備えている点に特徴を有する。アンカー部１０５とアンカー部１０７とでは大きさが異なり、臼歯や犬歯と言った歯の種類の違いや、切削部３０の深さや、施術対象の歯の位置などによって使い分けられるようになっている。【００３０】  なおアンカー部１０５の先端部分には擦り部１０６が、またアンカー部１０７の先端部分には擦り部１０８が形成されている。符号１０９は紐通し孔を指し、必要に応じてここにストラップなどを取り付けることが出来るようになっている。
【実施例７】
【００３１】  さてこれまでは本発明のメタルコアの除去用具に付いて説明して来たが、歯科医によるメタルコアの除去方法の実施例に付いて、図８を用いて説明する。先に治療対象の歯から被せ物を外してメタルコアを露わにしておく。【００３２】  ステップＳ１に於いて、被せ物を外した歯の歯列の沿った両側の、歯とメタルコアとの境の部位をタービンエンジンで切削して切削部（隙間）を作っている。次にステップＳ２に於いて、２個の除去用具の内、一方の除去用具のアンカー部を外側の切削部に挿入すると共に他方の除去用具のアンカー部を内側の切削部に挿入する。患者の口の中では、歯の両側に平たいハンドル部が位置している。次にステップＳ３に於いて、両方の除去用具のハンドル部を両手の指で摘まみ、ハンドル部を前後に捩るように操作して、歯からメタルコアを浮かせるようにする。この際にメタルコアは片持ちのようになることなく左右均等に力を加えることが可能である。このように歯科医によって本実施例の除去方法が慎重にかつ手際良く実施されるのである。なお１個の除去用具のみでメタルコアを片側ずつ交互に慎重に持ちあげるなどして除去することも可能である。【００３３】  ステップＳ２およびステップＳ３に於いて使用されるメタルコアの除去用具は、患者の口中で取り扱えて極めて実用的な道具である。従って患者に与える苦痛や心配がより少なくなり、また歯の損傷自体もより少ないものとなる。【００３４】  なお本発明の除去用具の素材に何を用いるかの設計はこれを自由に行い得る。ハンドル部とアンカー部とで異なる素材を用いても良い。また除去用具の形状やサイズに関しても任意に設計して良い。
【産業上の利用可能性】
【００３５】  本発明のメタルコアの除去用具とこれを用いた除去方法によれば、確かに患者の口の中で、指先の手業だけで治療を行うことを可能にしており、この分野の技術の向上に大きく寄与するものとなっている。
【符号の説明】
【００３６】  １    除去用具            １０  ハンドル部          １１  アンカー部
１２  擦り部              １３  除去用具            １４  紐通し孔
１５  除去用具            １６  滑り止め部          １７  滑り止め突起
１８  除去用具            １９  ハンドル部          １００鏡面
１０１除去用具            １０２帯磁ハンドル部      １０３除去用具
１０４ハンドル部          １０５アンカー部          １０６擦り部
１０７アンカー部          １０８擦り部              １０９紐通し孔
２    メタルコア          ３    歯                  ３０  切削部（隙間）
３１  歯茎                ４    接続紐
【図１】
2019042456.tif 000003
【図２】
2019042456.tif 000004
【図３】
2019042456.tif 000005
【図４】
2019042456.tif 000006
【図５】
2019042456.tif 000007
【図６】
2019042456.tif 000008
【図７】
2019042456.tif 000009
【図８】
2019042456.tif 000010